(57)【特許請求の範囲】
【請求項１】
複数枚の原稿の画像を順次読み取る原稿画像読取動作を実行可能な画像読取装置と、前記画像読取装置により読み取られた原稿画像情報に基づいて画像を形成する画像形成部と、を備え、スタートキーの押下によって前記画像読取装置が原稿画像読取動作を開始する画像形成装置において、
画像形成モードを設定するための表示を行うと共に、前記画像形成部の画像形成モードを設定するモード設定信号を出力するモード設定手段と、
押下操作により、前記モード設定手段により設定された画像形成モードを変更するモード変更信号を出力するモード変更手段と、
前記画像読取装置の原稿画像読取動作を制御すると共に、前記モード設定手段から出力されたモード設定信号に基づいて前記画像形成部の画像形成動作を制御する制御部と、を備え、
前記制御部は、前記画像読取装置が原稿画像読取動作を実行中に前記モード変更手段からモード変更信号が出力されても前記原稿画像読取動作を継続させ、且つ、前記モード変更手段からモード変更信号が出力された後、前記モード設定手段から変更されたモード設定信号が出力されると、前記変更されたモード設定信号に応じて前記画像形成部の画像形成動作を制御し、
前記モード変更手段が押下操作されると、前記モード設定手段の表示が、前記画像形成モードの設定を変更するための表示であって、前記スタートキーの押下操作によって設定が完了することが示されている表示に切り替わり、前記モード変更手段からモード変更信号が出力された後の、前記モード設定手段による設定の更新が、前記スタートキーの押下操作によって完了されることを特徴とする画像形成装置。
【請求項２】
前記制御部は、前記モード変更手段からモード変更信号が出力された場合には、全ての原稿の画像を読み取るよう前記画像読取装置を制御し、かつ前記画像読取装置による前記全ての原稿の画像の読み取りが終了した後、前記モード設定手段から変更されたモード設定信号が入力されるまで前記画像形成動作を一時停止させるよう前記画像形成部を制御することを特徴とする請求項１記載の画像形成装置。
【請求項３】
前記制御部は、前記モード変更手段からモード変更信号が出力された場合には、前記画像形成部の画像形成モードを変更すると共に、全ての原稿の画像を読み取るよう前記画像読取装置を制御し、かつ前記画像読取装置による前記全ての原稿の画像の読み取りが終了した後、前記変更されたモード設定信号に基づいて前記画像形成動作を行うよう前記画像形成部を制御することを特徴とする請求項１記載の画像形成装置。
【請求項４】
前記制御部は、前記モード変更手段からモード変更信号が出力された場合には、前記原稿画像読取動作を継続するよう前記画像読取装置を制御し、かつ前記モード設定手段から変更されたモード設定信号が入力されるまでは、前記画像形成動作を一時停止させるよう前記画像形成部を制御することを特徴とする請求項１記載の画像形成装置。
【請求項５】
前記制御部は、前記モード変更手段からモード変更信号が出力された場合には、前記モード設定手段から変更されたモード設定信号が入力されるまでは、前記原稿画像読取動作及び前記画像形成動作を一時停止させるよう前記画像読取装置及び前記画像形成部を制御することを特徴とする請求項１記載の画像形成装置。
【請求項６】
前記画像形成部により画像が形成されたシートを処理する処理部を備え、
前記モード設定手段は、前記処理部の処理モードを設定する処理モード設定信号を前記制御部に出力し、前記制御部は、前記モード変更手段から処理モード変更信号が出力された際には、前記モード設定手段からの変更された処理モード設定信号に応じて前記処理部の処理動作を制御することを特徴とする請求項１ないし５の何れか１項に記載の画像形成装置。
【請求項７】
原稿の画像を読み取る画像読取装置と、前記画像読取装置により読み取られた原稿画像情報に基づいて画像を形成する画像形成部と、を有し、スタートキーの押下によって前記画像読取装置が原稿画像読取動作を開始する画像形成装置であって、
画像形成モードを設定するための表示を行うと共に、前記画像形成部の画像形成モードを設定するモード設定信号を出力するモード設定手段と、
押下操作により、前記モード設定手段により設定された画像形成モードを変更するモード変更信号を出力するモード変更手段と、
前記画像読取装置の原稿画像読取動作を制御すると共に、前記モード設定手段から出力されたモード設定信号に基づいて前記画像形成部の画像形成動作を制御する制御部と、を備え、
前記制御部は、前記モード設定手段によって設定されたモードで前記画像形成部が画像を形成すべく、原稿の画像を前記画像読取装置で読み取る読取動作を実行中に、前記モード変更手段からモード変更信号が出力された場合、前記モード設定手段から変更されたモード設定信号が出力されるまで前記画像形成部による画像形成動作を行わせず、前記モード設定手段から変更されたモード設定信号が出力されると、前記変更されたモード設定信号に応じてモードの変更前に前記画像読取装置が読み取っていた画像情報に基づいて前記画像形成部の画像形成動作を行わせるよう制御し、
前記モード変更手段が押下操作されると、前記モード設定手段の表示が、前記画像形成モードの設定を変更するための表示であって、前記スタートキーの押下操作によって設定が完了することが示されている表示に切り替わり、前記モード変更手段からモード変更信号が出力された後の、前記モード設定手段による設定の更新が、前記スタートキーの押下操作によって完了されることを特徴とする画像形成装置。
【発明の詳細な説明】
【技術分野】
【０００１】
本発明は、画像形成装置に関し、特に画像形成部の画像形成モードを変更する構成に関する。
【背景技術】
【０００２】
従来、複写機、スキャナ、ファクシミリ等の画像形成装置には、シートである原稿の画像を読み取る画像読取装置を備えたものがある。そして、昨今の画像形成装置においては、画像形成速度の向上と共に、画像メモリとしてのランダムアクセスメモリやハードディスクドライブの低価格化によって、より多くの画像データに対する画像形成要求に対応できるようになっている。
【０００３】
ところで、従来の画像読取装置として、自動原稿搬送装置（ＡＤＦ）により原稿を原稿台ガラス上に搬送しながら原稿台ガラスの下方に位置する画像読取手段により原稿の画像を読み取る、いわゆる流し読みを行うものが知られている。
【０００４】
さらに、従来の画像読取装置においては、原稿の表裏両面に形成された画像を自動原稿搬送装置による流し読みにて読み取るようにしたものがある。ここで、このような画像読取装置において、表裏両面に画像が形成された原稿を流し読みにて読み取る場合は、まず画像読取部により原稿の片面（以下、第１面という）を読み取る。
【０００５】
次に、片面が読み取られた原稿を自動原稿搬送装置に設けられた表裏反転パスにて反転させた後、再度、画像読取部を通過させ、このとき原稿の反対側の面（以下、第２面という）を読み取るようにしている。
【０００６】
しかし、両面原稿を読み取る際、表裏反転パスにて原稿を反転させるために時間を要し、また拡大連写など原稿を分割して読み取る際には、複数回に及ぶ画像読取動作が必要になる等、読取に時間がかかり、生産性が低下する。
【０００７】
そこで、生産性向上のため従来の画像読取装置においては、画像読取装置本体に原稿の第１面を読み取る第１画像読取部を設けると共に自動原稿搬送装置に原稿の第２面を読み取る第２画像読取部を設けるようにしたものがある。そして、このように画像読取部を２つ設けることにより、原稿の表裏両面の画像を一度の搬送で読み取ることができるようになっている（特許文献１参照）。
【０００８】
なお、このような画像読取装置では、両面読み取りにおける装置の動作時間を短縮させる効果の他に、原稿の両面読み取りの際に原稿反転が不要なことから、厚紙や長尺といった特別な原稿に対する両面モードの操作性が向上するといった利点がある。
【０００９】
一方、このような従来の画像読取装置を備えた画像形成装置において、ユーザが、ジョブが開始され、原稿読み取り動作が始まった後に画像形成モードを変更する場合がある。この場合は、１度ジョブを終了させてから画像形成モードを変更する。さらに、再度ジョブを開始するためには、ユーザが一度読み取りが済んだ原稿と、まだ読み取り前であった原稿とを合わせて、もう一度原稿トレイにセットし直すようにする。
【００１０】
しかし、今日では、自動原稿搬送装置に積載可能な原稿枚数が増えており、ジョブを開始して原稿読み取り動作が進んだ後で、画像形成モードの変更が必要となった場合、そこから全ての操作をやり直すという作業は、手間がかかり、生産性が低下する。
【００１１】
一方、従来の画像形成装置においては、生産性向上のため、例えば画像の連続形成動作を一時停止させ、画像形成動作の途中で画像形成条件を変更できるようにしたものがある（特許文献２参照）。
【００１２】
【特許文献１】特開平５−２０７２２８号公報
【特許文献２】特開平１０−１２３８８１号公報
【発明の開示】
【発明が解決しようとする課題】
【００１３】
しかし、このような画像の連続形成動作を一時停止させ、画像形成動作の途中で画像形成条件を変更できるようにした従来の画像形成装置の場合でも、画像形成条件の変更の際に、画像の読み取り動作が停止してしまう。
【００１４】
そして、このように画像の読み取り動作が停止すると、ユーザが一度読み取りが済んだ原稿と、まだ読み取り前であった原稿とを合わせて、もう一度原稿トレイにセットし直す必要があり、操作性が悪いという問題があった。
【００１５】
そこで、本発明は、このような現状に鑑みてなされたものであり、ユーザの操作性を向上させることのできる画像形成装置を提供することを目的とするものである。
【課題を解決するための手段】
【００１６】
本発明は、複数枚の原稿の画像を順次読み取る原稿画像読取動作を実行可能な画像読取装置と、前記画像読取装置により読み取られた原稿画像情報に基づいて画像を形成する画像形成部と、を備え、スタートキーの押下によって前記画像読取装置が原稿画像読取動作を開始する画像形成装置において、画像形成モードを設定するための表示を行うと共に、前記画像形成部の画像形成モードを設定するモード設定信号を出力するモード設定手段と、押下操作により、前記モード設定手段により設定された画像形成モードを変更するモード変更信号を出力するモード変更手段と、前記画像読取装置の原稿画像読取動作を制御すると共に、前記モード設定手段から出力されたモード設定信号に基づいて前記画像形成部の画像形成動作を制御する制御部と、を備え、前記制御部は、前記画像読取装置が原稿画像読取動作を実行中に前記モード変更手段からモード変更信号が出力されても前記原稿画像読取動作を継続させ、且つ、前記モード変更手段からモード変更信号が出力された後、前記モード設定手段から変更されたモード設定信号が出力されると、前記変更されたモード設定信号に応じて前記画像形成部の画像形成動作を制御し、前記モード変更手段が押下操作されると、前記モード設定手段の表示が、前記画像形成モードの設定を変更するための表示であって、前記スタートキーの押下操作によって設定が完了することが示されている表示に切り替わり、前記モード変更手段からモード変更信号が出力された後の、前記モード設定手段による設定の更新が、前記スタートキーの押下操作によって完了されることを特徴とするものである。
【００１７】
また本発明は、原稿の画像を読み取る画像読取装置と、前記画像読取装置により読み取られた原稿画像情報に基づいて画像を形成する画像形成部と、を有し、スタートキーの押下によって前記画像読取装置が原稿画像読取動作を開始する画像形成装置であって、画像形成モードを設定するための表示を行うと共に、前記画像形成部の画像形成モードを設定するモード設定信号を出力するモード設定手段と、押下操作により、前記モード設定手段により設定された画像形成モードを変更するモード変更信号を出力するモード変更手段と、前記画像読取装置の原稿画像読取動作を制御すると共に、前記モード設定手段から出力されたモード設定信号に基づいて前記画像形成部の画像形成動作を制御する制御部と、を備え、前記制御部は、前記モード設定手段によって設定されたモードで前記画像形成部が画像を形成すべく、原稿の画像を前記画像読取装置で読み取る読取動作を実行中に、前記モード変更手段からモード変更信号が出力された場合、前記モード設定手段から変更されたモード設定信号が出力されるまで前記画像形成部による画像形成動作を行わせず、前記モード設定手段から変更されたモード設定信号が出力されると、前記変更されたモード設定信号に応じてモードの変更前に前記画像読取装置が読み取っていた画像情報に基づいて前記画像形成部の画像形成動作を行わせるよう制御し、前記モード変更手段が押下操作されると、前記モード設定手段の表示が、前記画像形成モードの設定を変更するための表示であって、前記スタートキーの押下操作によって設定が完了することが示されている表示に切り替わり、前記モード変更手段からモード変更信号が出力された後の、前記モード設定手段による設定の更新が、前記スタートキーの押下操作によって完了されることを特徴とするものである。
【発明の効果】
【００１８】
本発明のように、画像形成モードを変更する際、変更されたモード設定信号が入力されると、ジョブを継続させながら変更されたモード設定信号に応じて画像形成部の画像形成動作を制御することができ、これによりユーザの操作性を向上させることができる。
【発明を実施するための最良の形態】
【００１９】
以下、本発明を実施するための最良の形態について、図面を参照して詳しく説明する。
【００２０】
図１は、本発明の実施の形態に係る画像形成装置の概略図である。図１に示しように、画像形成装置は、プリンタ４００と、複数枚の原稿の画像を順次読み取る原稿画像読取動作を実行可能な画像読取装置２００とからなる。プリンタ４００は、プリンタ本体９０１と、シート処理装置９１０とによって構成されている。プリンタ本体９０１は、給紙カセット９０２と、給紙カセット９０２から送り出されたシートに画像を形成する画像形成部９０３とを備えている。シート処理装置９１０は、画像形成部９０３で画像が形成されたシートのステープルやソートなどの処理を施す処理ユニット９１１と積載トレイ９１２を備えている。
【００２１】
図２は、本発明の実施の形態に係る画像形成装置に設けられる画像読取装置２００の構成を示す図である。
【００２２】
画像読取装置２００は、流し読みを行う際、シートである原稿の表面（第１面）の画像を読み取る第１画像読取部（第１の画像読取部）１０２を備えた画像読取装置本体２００Ａを備えている。また、この画像読取装置２００は、原稿の裏面（第２面）の画像を読み取る第２画像読取部（第２の画像読取部）１７を備えた自動原稿給送装置（以下、ＡＤＦという）１００を備えている。
【００２３】
第１画像読取部１０２は、原稿に記録された画像情報を光学的に読み取り、光電変換して画像データとして出力するものである。この第１画像読取部１０２には、ＡＤＦ１００により搬送される原稿が上面を通過する透明な表面ガラス部材２０１と、画像情報を光学的に読み取るためのスキャナユニット２０９と、レンズ２０７と、ＣＣＤ（センサ）２０８が設けられている。
【００２４】
また、スキャナユニット２０９は、ランプ２０３、ミラー２０４を有し、表面ガラス部材２０１上を通過する原稿に光を照射して原稿画像を読み取る第１ミラーユニット２０９ａと、２つのミラー２０５，２０６を有する第２ミラーユニット２０９ｂを有している。
【００２５】
なお、７はスキャナユニット２０９による原稿読取位置に対向して配置された白色の大ローラであり、流し読みを行う際には、この大ローラ７により、原稿を表面ガラス部材２０１に押し付けるようにしている。また、２０２は画像読取装置本体２００Ａの上面に設けられた原稿台ガラス、２１０はシェーディングによる白レベルの基準データを作成するためのシェーディング白板である。
【００２６】
そして、このような構成の第１画像読取部１０２では、例えば流し読みの際、表面ガラス部材上を通過する原稿の表面に対しランプ２０３から光を照射するようにしている。そして、原稿からの反射光は、ミラー２０４，２０５，２０６を介してレンズ２０７に導かれ、レンズ２０７によってＣＣＤ２０８の受光部に結像されることにより、原稿画像が読み取られる。
【００２７】
なお、原稿台ガラス２０２にセットされた原稿画像を、第１及び第２ミラーユニット２０９ａ，２０９ｂを移動させながら読み取る固定読みの場合は、まず原稿はＡＤＦ１００により、或は手動により原稿台ガラス上にセットされる。
【００２８】
次に、このように原稿台ガラス上に原稿をセットした後、不図示の駆動モータの回転駆動により、第１及び第２ミラーユニット２０９ａ，２０９ｂを、ランプ２０３により原稿の下面を照射しながら原稿台ガラス２０２と平行に移動させる。そして、このように移動することにより、原稿からの反射光は、ミラー２０４，２０５，２０６を介してレンズ２０７に導かれ、レンズ２０７によってＣＣＤ２０８の受光部に結像されることにより、原稿画像が読み取られる。
【００２９】
ＡＤＦ１００は、原稿トレイ３０に積載された原稿Ｓを、例えば流し読みの際、第１画像読取部１０２及び第２画像読取部１７の画像読取位置に搬送するものである。このＡＤＦ１００は、原稿トレイ３０の上方に設けられ、原稿を送り出す給紙ローラ１、原稿があるかないかを検知する原稿検知センサ１０〜１５等を備えている。
【００３０】
原稿トレイ３０には、載置された原稿束の副走査方向にスライド可能な不図示のガイド規制板と、ガイド規制板に連動して原稿幅を検出する不図示の原稿幅検知センサと、原稿検知センサの一例であるレジ前センサ１１が設けられている。そして、原稿幅検知センサとレジ前センサ１１との組み合わせにより、原稿トレイ３０上に載置された原稿束の原稿サイズが判別可能となる。
【００３１】
なお、後述する上流側搬送パス４０内に設けられた不図示の原稿長検知センサにより、搬送中の原稿の先端検知から後端検知までの搬送距離から原稿長を検出することも可能である。そして、検知した原稿長と原稿幅検知センサとの組み合わせからも、原稿サイズが判別可能である。
【００３２】
ここで、給紙ローラ１は、上下方向に回動自在なアーム１ａに軸支されており、通常、アーム１ａの上方回動によりホームポジションである上方位置に退避しており、原稿のセット作業を阻害しないようになっている。また、給紙動作が開始されると、アーム１ａの下方回動により給紙ローラ１は下降して原稿Ｓの上面に当接するようになっている。
【００３３】
給紙ローラ１の下流には、原稿Ｓを１枚ずつ分離する分離搬送ローラ２と分離パッド２１とからなる分離部が設けられている。さらに、分離部の下流には分離部により１枚ずつ分離された原稿を搬送する搬送ローラ対３、搬送ローラ対３により搬送された原稿の先端を揃えるためのレジストローラ４が設けられている。
【００３４】
そして、搬送ローラ対３により搬送された原稿の先端を静止した状態のレジストローラ４と大ローラ７のニップ部に突き当て、原稿にループを生じさせることにより、原稿の先端を揃えるようにしている。
【００３５】
なお、４０は原稿Ｓを第１画像読取部１０２の画像読取位置Ｒに向けて搬送する第１原稿搬送路である。４１は第１原稿搬送路４０と共にシート搬送路を構成する第２原稿搬送路であり、第１画像読取部１０２により画像を読み取られた原稿Ｓは、この第２原稿搬送路４１を通過して第２画像読取部１７の画像読取位置に向けて搬送される。
【００３６】
４２は原稿反転パスであり、第１画像読取部１０２により原稿Ｓの表裏両面を読み取る場合、第２画像読取部１７を通過した原稿は、フラッパ２０の切換と、正逆転可能な排紙ローラ８の逆転により選択的にスイッチバックして原稿反転パス４２に送り込まれる。そして、この後、原稿反転パス４２からレジストローラ４に向けて再度、搬送される。
【００３７】
第２画像読取部１７は、ガラス部材１８と、原稿をガラス部材１８に押し付けながら搬送する搬送ローラ１６と、第２面の画像を読み取る後述する図３に示すＣＩＳ（コンタクトイメージセンサ）を備えている。そして、搬送ローラ１６により、原稿をガラス部材１８に押し付けながら搬送することにより、画像が読み取られる。
【００３８】
次に、このように構成された画像読取装置２００の原稿画像読み取り動作について説明する。
【００３９】
原稿画像を読み取る場合には、まず図２に示すアーム１ａを下降させて給紙ローラ１を原稿Ｓの上面に当接させた後、分離搬送ローラ２と同一駆動源により給紙ローラ１を回転し、最上位の原稿を分離部に搬送する。ここで、原稿が複数枚重なって搬送された場合には、分離部において最上位の原稿を他の原稿から分離して搬送する。
【００４０】
１枚に分離された原稿は、レジストローラ４によって原稿の先端を揃えられた後、レジストローラ４により第１画像読取部１０２に案内され、表面ガラス部材２０１上を通過する。このとき、原稿の表面（第１面）の画像情報を第１画像読取部１０２（のＣＣＤ２０８）にて読み取る。
【００４１】
次に、原稿は第２画像読取部１７に搬送され、この第２画像読取部１７において原稿の裏面（第２面）の画像情報を読み取る。なお、このように原稿の裏面画像読み取りが終了すると、この後、原稿は排紙ローラ対８により排紙トレイ３１上に排紙される。
【００４２】
図３は、画像読取装置２００及び画像読取装置２００により読み取られた原稿画像情報に基づいて画像を形成する画像形成部であるプリンタ４００を備えた画像形成装置の制御ブロック図である。
【００４３】
図３に示すように、画像読取装置本体２００ＡはＣＰＵ（中央処理装置）２５１を備えている。このＣＰＵ２５１によりＡＤＦ１００及び画像読取装置本体２００Ａの制御を行っている。ＣＰＵ２５１にはプログラム格納のＲＯＭ２５２、作業領域用のＲＡＭ２５３、モータドライバ部２５６、紙間補正処理部２５４、画像処理部２５５、画像バッファ２６１が接続される。
【００４４】
ＲＯＭ２５２には、画像読取装置本体２００Ａ及びＡＤＦ１００の制御用プログラムが格納されており、ＲＡＭ２５３には前記制御で使用される入力データや作業用データが格納されている。モータドライバ部２５６はスキャナユニット２０９を操作するための光学系駆動モータを駆動させるドライバ回路である。
【００４５】
また、ＣＰＵ２５１には、原稿照明ランプ２０３、ＣＣＤ２０８、ＣＣＤからの出力をデジタル画像信号に変換する信号制御部２５９からなる第１画像読取部１０２が接続されている。そして、ＣＰＵ２５１は、モータドライバ部２５６及び第１画像読取部１０２を用いて、画像読取装置本体２００Ａにおける画像読み取りの制御を行う。
【００４６】
紙間補正処理部２５４は原稿給紙の紙間で信号制御部２５９のパラメータ補正を行うものである。画像処理部２５５は、第１画像読取部１０２及び後述する第２画像読取部１７で読み取られた画像信号を処理し、タイミングを生成して画像コントローラ部３００に転送するものである。また、画像バッファ２６１は画像処理部２５５による制御に基づいて読み取られた画像信号を一時的に格納するものである。
【００４７】
一方、ＡＤＦ１００にはＣＰＵ２５１から入力ポート、出力ポートが接続され、出力ポートには各種搬送用のローラを駆動するモータ１０３、ソレノイド１０１、クラッチ１０２が接続されている。また、入力ポートには、原稿の搬送タイミングを生成するための各種センサ１０〜１５が接続されている。
【００４８】
そして、ＣＰＵ２５１は、ＲＯＭ２５２に格納された制御プログラムに従ってＡＤＦ１００における原稿搬送を制御する。また、第２画像読取部１７の原稿照明ランプ１０５、ＣＩＳ１０６、信号制御部１０７もＣＰＵ２５１と接続されており、第２画像読取部１７が読み取った裏面画像を画像処理部２５５に転送する。また、画像バッファ２６１に格納されたデータは出力タイミングに同期して画像処理部２５５で読み出され、順次コントローラＩＦ部３５０を通して画像コントローラ部３００へ転送される。
【００４９】
画像コントローラ部３００は、画像読取装置本体２００Ａとは別に、専用のＣＰＵ３０１、ＲＯＭ３０２、ＲＡＭ３０３を備えている。そして、画像処理部２５５を経由して画像コントローラ部３００に送られた画像信号は、画像入出力部３０４で入出力制御を行い、送られた順に画像データとして画像メモリ３０５に蓄積される。
【００５０】
また、画像コントローラ部３００は、画像処理部３１０、操作部３０９を備えている。ここで、画像処理部３１０は、画像入出力部３０４から入力された画像信号、あるいは画像メモリ３０５に蓄積された画像データに対し、各種画像処理を行うものである。操作部３０９はユーザに対して本装置の状態通知を行うと共に本装置に対するユーザの指示動作の入力を行うものである。
【００５１】
そして、この操作部３０９からの指示入力に応じてＣＰＵ３０１は、画像メモリ３０５に蓄積された画像データを読み出し、プリンタＩ／Ｆ（インターフェイス）３１１を介してプリンタ４００に出力する。あるいは、外部Ｉ／Ｆ（インターフェイス）３１２を介して外部の電話回線やネットワークを通して他の装置やパーソナルコンピュータに画像や情報を転送するなどの動作を実行する。
【００５２】
またＣＰＵ３０１は画像読取装置本体２００ＡのＣＰＵ２５１との間で通信を行い、ユーザが操作部３０９で指示した機能を実行するために必要な動作を画像読取装置本体２００Ａに指示して応答を受け取る。
【００５３】
なお、本実施の形態では、ＡＤＦ１００における裏面画像の読み取りにＣＩＳ、画像読取装置本体２００Ａにおける表面画像の読み取りにＣＣＤを使用しているが、これに限らず画像読み取りが可能なセンサであれば何を使ってもよい。
【００５４】
ところで、本実施の形態の画像読取装置２００は、片面に印刷がなされた原稿（片面原稿）を読み取る際、第１画像読取部１０２においてスキャナユニット２０９を副走査方向に移動させて画像を読み取る原稿固定読みモードを備えている。また、原稿の両面画像を読み取る際、第１画像読取部１０２においてスキャナユニット２０９を固定させて原稿を移動させると共に、第２画像読取部１７により原稿の第２面の画像を読み取る両面同時読みモードを備えている。
【００５５】
さらに、原稿の第１面の画像を読み取る際、第１画像読取部１０２においてスキャナユニット２０９を固定させた状態で原稿を移動させることにより、原稿の第１面の画像を読み取る原稿流し読み片面モードを備えている。また、原稿の第１面の画像を読み取った後、原稿を反転させ、原稿の第２面の画像を第１画像読取部１０２により読み取る原稿反転流し読み両面モードを備えている。
【００５６】
図４は、画像読取装置２００の原稿流し読みモードの動作を模式的に示す図である。このモードの場合、ＡＤＦ１００に原稿の給送開始が指示されると、まず図４の（ａ）に示すようにスキャナユニット２０９をシェーディング白板２１０の直下に移動させ、シェーディングを行う。また第２画像読取部１７においても、移動ガラス１８上の図示しない白基準板を用いてシェーディングを行う。
【００５７】
次に、給紙ローラ１、分離搬送ローラ２、搬送ローラ対３により、原稿トレイ３０に積載された原稿Ｓのうち、最上面にある１枚の原稿Ｓ１だけを分離してレジストローラ４まで給送する。この間に図４の（ｂ）に示すようにスキャナユニット２０９を画像読み取り位置であるＲ点の直下へと移動させる。
【００５８】
次に、レジストローラ４を回転させ、図５の（ａ）に示すように原稿Ｓ１を流し読みガラス２０１上に向けて搬送する。そして、この後、図５の（ｂ）に示すように原稿Ｓ１が流し読みガラス２０１上を所定の速度で搬送する間に、原稿表面の画像を流し読みガラス２０１を挟んで待機しているスキャナユニット２０９によって読み取る。
【００５９】
ここで、原稿流し読みモードの一例である両面同時読みモードの場合には、スキャナユニット２０９で表面画像を読み取る一方で、図６の（ａ）及び（ｂ）に示すように第２画像読取部１７にて原稿Ｓ１の裏面画像の読み取りを行う。次に、第２画像読取部１７を原稿Ｓ１が通過すると、通過した後の原稿Ｓ１をそのまま搬送し、図７に示すように排紙ローラ８によりＡＤＦ１００の機外へと排出する。
【００６０】
なお、この間、Ｎ枚目の原稿後端が給紙ローラ３を通過したタイミングで、原稿トレイ３０上に載置された原稿束Ｓから（Ｎ＋１）枚目の原稿の給送を開始する。この原稿もまた同様に、図６の（ａ）及び（ｂ）に示すように流し読みガラス２０１へと搬送され、画像読取が行われる。
【００６１】
ここで、このように搬送された（Ｎ＋１）枚目の原稿がレジストローラ４に突き当てられた状態からのレジストローラ４の起動タイミングを調整することにより、前原稿との間隔を適宜調整する。そして、原稿の読み取り及び排出が全て完了すると、図７に示すように、スキャナユニット２０９を矢印の方向にある所定の待機位置へと移動させる。
【００６２】
ところで、本実施の形態において、画像読取装置２００は、読み取った原稿画像が白紙画像であるかないかを、画像処理部２５５において判定するようにしている。図８は、このような読み取った原稿画像が白紙画像であるかないかを判定するための画像処理部２５５のブロック図である。
【００６３】
ここで、画像処理部２５５に入力される画像信号は、それぞれＲ（Ｒｅｄ）、Ｇ（Ｇｒｅｅｎ）、Ｂ（Ｂｌｕｅ）の３色に対応した３つのデジタル信号であり、この例では各々８ビットのデータである。３色の画像信号Ｒ，Ｇ，Ｂは既知の座標変換部４０１により、色相Ｈ、彩度Ｓ、明度Ｌの３座標に変換される。
【００６４】
なお、本実施の形態において、「画像がない」とする判断は、以下の３つの判定基準により行う。
【００６５】
（１）原稿全体の彩度が所定の値以下である（下地を白と想定）。
彩度分布演算部４０２において、彩度分布演算用関数Ｗｓ＝ｆｓ（Ｓ，Ａｓ）により、パラメータＡｓを用いて原稿１枚分にわたる彩度分布Ｗｓを演算する。
【００６６】
（２）原稿全体の明度が所定の値以上である（色の濃い部分がない）。
明度分布演算部４０３で、明度分布演算用関数Ｗｌ＝ｆｌ（Ｌ，Ａｌ）により、パラメータＡｌを用いて原稿１枚分にわたる明度分布Ｗｌを演算する。
【００６７】
（３）エッジがない（文字等がない）。
エッジ検出演算部４０４で、エッジ分布演算用関数Ｗｅ＝ｆｅ（Ｌ，Ａｅ）により、パラメータＡｅを用いて原稿１枚分にわたる明度の急激な変化の割合を検出する。
【００６８】
上記３つの判定基準となる演算結果を用いて、白判定部４０５において、画像なし判定係数ＷをＷ＝Ｆ０（Ｗｓ，Ｗｌ，Ｗｅ）の演算により求め、Ｗが所定値以上である場合に、原稿が「画像なし」であると判断する。
【００６９】
画像処理部２２５では、このような画像有無検出手段を２系統独立に備えている。そして、ＡＤＦ１００の信号制御部１０７及び画像読取装置本体２００Ａの信号制御部２５９から入力された画像をそれぞれ画像バッファ２６１に一時格納する際に、各系統を利用して上記画像有無検出を実行する。
【００７０】
ここで、入力画像が「画像なし」と判定された場合、ＣＰＵ２５１は、この画像バッファ２６１に一時格納された入力画像を画像コントローラ部３００に転送するのではなく、入力画像の代わりに画像なし情報をＣＰＵ３０１に通知するよう制御する。
【００７１】
なお、原稿画像によっては、原稿１枚分にわたる演算途中で上記画像なし条件から外れる場合があり、この場合は「画像あり」と判定し、画像コントローラ部３００に画像転送通知を行うと共に画像信号を画像入出力部３０４に転送する。
【００７２】
また、このような画像有無の判定に使用するパラメータＡｓ，Ａｌ，Ａｅは画像コントローラ部３００内のＲＡＭ３０３のバックアップ領域に格納されており、原稿画像の読み取り開始に先立って画像読取装置本体２００Ａに送信される。
【００７３】
図９は、ＣＰＵ２５１における、原稿を１枚搬送して画像を読み取り、画像読取装置本体２００Ａから画像コントローラ部３００へ画像信号を転送する動作制御の一例を示すフローチャートである。
【００７４】
この例では、原稿を両面同時読みモードで読み取ると共に、表面に関しては画像なしと判定された場合であっても画像を転送するようにしている。また、裏面に画像があった場合は表面に続けて裏面の画像も転送するが、裏面が画像なしと判定された場合には裏面画像の転送は行わずに読み取り動作を終了するようにしている。
【００７５】
ＣＰＵ２５１は、画像コントローラ部３００からの読取開始要求を受けると（Ｓ５００のＹ）、ＡＤＦ１００による読み取りのための原稿搬送動作を開始し、画像コントローラ部３００に読取開始通知を送信する（Ｓ５０１）。そして、原稿を１枚搬送し、原稿先端が図５の（ａ）に示す表面読取位置Ｒに達したとき（Ｓ５０２のＹ）、予め位置Ｒと流し読みガラス２０１を挟んで対向する位置に移動させておいたスキャナユニット２０９による読み取りを開始する。そして、画像処理部２５５において入力された表面画像の画像有無の判定を開始すると共に、入力された表面画像を画像バッファ２６１に格納する（Ｓ５０３）。
【００７６】
この際に、さらに原稿搬送が進み、原稿先端が図５の（ｂ）に示す裏面読取位置に到達すると（Ｓ５０４のＹ）、第２画像読取部１７による原稿の裏面画像の読み取りを開始する。そして、画像処理部２５５において第２画像読取部１７から入力された裏面画像の画像有無の判定を開始すると共に、入力された裏面画像を画像バッファ２６１に格納する（Ｓ５０５）。ここで、本実施の形態においては、画像バッファ２６１に対して、表面と裏面の画像読取動作は並列に動作可能となっている。
【００７７】
この後、画像コントローラ部３００から転送開始指示を受信するのを待つ。そして、転送開始指示を受信すると（Ｓ５０６のＹ）、現在読み取り中の原稿が原稿束Ｓ中の何枚目かを示すシートＩＤと、転送する画像が表面であることを示す表面フラグをセットして画像コントローラ部３００に転送開始通知を送信する。
【００７８】
さらに、この後、画像バッファ２６１に一時的に格納していた表面画像を画像コントローラ部３００に対して転送する（Ｓ５０７）。なお、この時点で表面の画像読み取りが全て終了している必要はなく、まだ原稿の読み取り中であっても画像先端部に相当する画像データから順次転送を開始しても構わない。
【００７９】
次に、図６の（ｂ）に示すように原稿後端が裏面読取位置まで搬送され、この後、表面画像の転送と平行して実行されていた裏面の読み取りが終了すると（Ｓ５０８のＹ）、画像処理部２５５では裏面の画像有無の判定結果を算出する。そして、演算結果Ｗｓ、Ｗｌ、Ｗｅ、Ｗ、及び演算パラメータＡｓ、Ａｌ、ＡｅをシートＩＤと関連付けて画像読取装置本体２００Ａ内のＲＡＭ２５３に記憶する（Ｓ５１６）。
【００８０】
次に、表面画像の転送が終了すると（Ｓ５０９のＹ）、このタイミングで画像コントローラ部３００に表面の転送完了通知と併せて表面の画像有無判定結果を送信する（Ｓ５１０）。ここで、ステップＳ５１６において記録された裏面の画像有無結果より、裏面に画像があったか否かを判断する（Ｓ５１１）。
【００８１】
そして、裏面に画像があると判定した場合は（Ｓ５１１のＹ）、引き続き画像読取装置本体２００Ａは画像コントローラ部３００に表面と同じシートＩＤ、および裏面であることを示す裏面フラグをセットして転送開始通知を送信する。
【００８２】
また、この後、画像バッファ２６１に一時的に格納されていた裏面画像を画像コントローラ部３００に対して転送する（Ｓ５１３）。転送が終了すると（Ｓ５１４のＹ）、画像読取装置本体２００Ａは画像コントローラ部３００に対し転送終了通知を送信し、読取動作を終了する（Ｓ５１５）。
【００８３】
一方、Ｓ５１１において原稿裏面に画像がないと判定した場合は（Ｓ５１１のＮ）、画像読取装置本体２００Ａは画像コントローラ部３００に対し裏面に画像がなかったことを示す裏面画像なし通知のみを送信し（Ｓ５１２）、読取動作を終了する。
【００８４】
なお、図１０は、図９の動作を画像コントローラ部３００側から見たフローチャートである。
【００８５】
画像コントローラ部３００は、画像読取装置本体２００Ａに対して、まず読取開始指示を送信する（Ｓ６０１）。この際、ＲＡＭ３０３内にバックアップしておいた画像処理パラメータＡｓ、Ａｌ、Ａｅを合わせて通知する。
【００８６】
次に、画像読取装置本体２００Ａからの読取開始通知を受信すると（Ｓ６０２のＹ）、読み取った原稿表面の画像を転送するよう転送開始指示を画像読取装置本体２００Ａに送信する（Ｓ６０３）。これにより、画像読取装置本体２００Ａからは、引き続き転送開始通知コマンドと共に、これから転送する画像が原稿束Ｓの何枚目の画像であるかを示すシートＩＤ、及び原稿の表面の画像であることを示す表面フラグが送信される。
【００８７】
そして、画像読取装置本体２００Ａからの表面フラグを受信すると（Ｓ６０４のＹ）、画像コントローラ部３００では、このシートＩＤ及び表面フラグを、ＲＡＭ３０３内の読取モードテーブルに格納する。さらに、転送された画像を画像メモリ３０５の所定アドレスに格納する（Ｓ６０５）。
【００８８】
次に、表面の転送が終了し、画像読取装置本体２００Ａからの転送終了通知を受信すると（Ｓ６０６のＹ）、画像コントローラ部３００は画像読取装置本体２００Ａからの次のコマンドによって動作を変更する。例えば、画像読取装置本体２００Ａから裏面画像なし通知を受信した場合は（Ｓ６０７のＹ）、読取モードテーブルの現在読み取り中のシートＩＤに対し、「裏面画像なし」情報を付加して１枚の読み取りを終了する（Ｓ６０８）。
【００８９】
また、Ｓ６０７において裏面画像なし通知を受信せず（Ｓ６０７のＮ）、裏面画像の転送開始通知を受信した場合（Ｓ６０９のＹ）は、読取モードテーブルの現在読み取り中のシートＩＤに対し、「裏面画像あり」情報を付加する。さらに、転送された画像を画像メモリ３０５の、裏面画像用の所定アドレスに格納する（Ｓ６１０）。次に、裏面の転送が終了し、画像読取装置本体２００Ａからの転送終了通知を受信すると（Ｓ６１１のＹ）、１枚分の画像入力動作を終了し、まだ原稿がある場合には続けて次の原稿入力動作を実行する。
【００９０】
なお、図１１の（ａ）は、ＲＡＭ３０３内の読取モードテーブル、図１１の（ｂ）はＲＡＭ２５３内の画像処理パラメータテーブルの一例を示すものである。なお、この例では原稿が全部で７枚あり、３枚目と６枚目が両面原稿、他が表面のみの原稿だった場合を表している。
【００９１】
また、図１１の（ａ）に示す読み取りモードテーブルで保持するデータは以下のとおりである。
【００９２】
（１）（原稿が何枚目かを示す）シートＩＤ
（２）原稿サイズ
（３）表面画像を格納した画像メモリ３０５内のメモリ先頭アドレス
（４）裏面画像を格納した画像メモリ３０５内のメモリ先頭アドレス
【００９３】
ここで、原稿画像が「画像なし」と判定された場合はメモリ先頭アドレスを０にセットしている。
【００９４】
また、図１１の（ｂ）に示す画像処理パラメータテーブルで保持するデータは以下のとおりである。
【００９５】
（１）（原稿が何枚目かを示す）シートＩＤ
（２）読み取り時に使用した画像有無判定パラメータＡｓ、Ａｌ、Ａｅ
（３）画像処理部２５５内の画像有無判定手段において演算された演算結果Ｗｓ、Ｗｌ、Ｗｅ、Ｗ
【００９６】
そして、画像コントローラ部３００は、画像読取装置本体２００Ａから表面の画像転送通知を受け取ると、読み取った原稿のシートＩＤと、その原稿のサイズを示すサイズ情報を読取モードテーブルに格納する。また、同時に転送された画像を格納する画像メモリ３０５内のアドレスを獲得し、対応するシートＩＤの表面アドレスに格納する。
【００９７】
この後、表面画像の転送中に裏面の画像読み取りが終了し、画像処理部２５５で裏面画像有無の判定結果が出力される。そして、画像読取装置本体２００Ａでは、現在の原稿のシートＩＤと、画像処理部２５５で使用した画像有無判定パラメータＡｓ，Ａｌ，Ａｅ、及び画像有無判定手段で演算された演算結果Ｗｓ，Ｗｌ，Ｗｅ，Ｗを対応付けて画像処理パラメータテーブルに格納する。
【００９８】
次に、裏面画像有無判定の結果から裏面画像ありと判定され、裏面画像が転送される場合には、裏面を格納するアドレスを獲得し、裏面アドレスに格納する。この例では、裏面に画像がなく、画像読取装置本体２００Ａから裏面画像なし通知を受け取った場合には、裏面の画像メモリアドレスに０をセットして、裏面の画像が格納されていないことを表す。逆に裏面に０以外のアドレスがセットされている場合は裏面画像ありを意味する。
【００９９】
画像コントローラ部３００では、上記読取モードテーブルを原稿束Ｓが一通り読み込まれ、ジョブが終了するまでの間保存しておく。ジョブ終了時には、上記読取モードテーブルの値に基づいて操作部３０９に原稿をどのように読み取ったかの判定結果を表示する。
【０１００】
なお、本実施の形態では、原稿の表面については画像有無判定結果を使用せず、裏面画像の有無判定のみを使って処理を切り換えている。しかし、より効率的な出力のために、表面についても裏面同様に画像有無判定を使用し、画像がない時は画像読取装置本体２００Ａから画像コントローラ部３００に対して画像データを出力しないよう制御してもよい。
【０１０１】
図１２は、操作部３０９の概観図である。図１２において、８０６はスタートキーであり、このスタートキー８０６の押下により、画像読取装置２００の原稿画像読取動作及びプリンタ４００の画像形成動作を制御する制御部であるＣＰＵ２５１，３０１は、画像形成動作や原稿読取動作を開始する。なお、スタートキー８０６の中央部にはスタート可能か否かを示す赤色と緑色の不図示のＬＥＤが設けられており、スタートできない場合は赤色のＬＥＤを点灯させ、スタート可能な場合には緑色のＬＥＤを点灯させる。
【０１０２】
８０７はストップキーであり、画像形成動作／原稿読取動作の停止を行うために使用する。８０８はプリンタ４００の画像形成モードを設定するモード設定信号をＣＰＵ２５１，３０１に出力するモード設定手段である液晶パネル等で構成される表示パネルであり、詳細なモード設定を容易にするべく、設定モードに応じて表示内容を変化させる。また、表示パネル８０８の表面はタッチセンサになっており、使用者が表示内容に応じた表示パネル８０８内の特定領域に触れることで設定を行うソフトキーを実現している。
【０１０３】
ここで、図１３の（ａ）は、スタートキー８０６が押下される直前の表示パネル８０８の表示を示している。また、図１３の（ｂ）は、スタートキー８０６による画像形成動作の開始要求を受けた画像読取装置２００による原稿画像の読み取り動作中の表示パネル８０８の表示の例を示している。
【０１０４】
なお、図１３の（ａ）で示されている画像形成動作の設定は、原稿に対しては等倍（１００％）で画像を形成し、その際にプリント（画像形成）する用紙（シート）は原稿と同じサイズの用紙を優先的に選択することを示している。また、プリントモードは、片面原稿の画像はプリント用紙の片面に、両面原稿の画像はプリント用紙の両面にプリントする自動両面モードであることを示している。
【０１０５】
さらに、プリンタ４００には画像形成されたシートを処理する不図示の処理部が設けられている。そして、この処理部に対し、表示パネル８０８からの処理モード設定信号により、処理モードの一例としてのソートモードが設定されており、この場合、置数が３なので、原稿束に対するプリント成果物を１部ずつ３回プリントする。また濃度は自動で調整し、文字に適した画像処理を行うことを示している。
【０１０６】
また、図１３の（ｂ）において、１００１は動作状態を表示する表示エリアであり、図１３の（ｂ）では図１３の（ａ）で示したプリントモード設定で、現在原稿を１０枚目まで読み取ったことを表している。１００２はプリント動作（画像形成動作）の進行状況を示すプログレスバーであるが、まだプリント動作は開始していないので表示は進んでいない。
【０１０７】
１００３は、表示パネル８０８の表示を図１３の（ｂ）のような動作状態表示から、図１３の（ａ）のような設定画面に戻すための閉じるボタンであり、例えば次のジョブの予約設定を行う場合に使用する。１００４は中止ボタンであり、ストップキー８０７と同様に現在進行中の画像形成動作／原稿読取動作を全て中止する際に使用される。
【０１０８】
１００５は、表示パネル８０８により設定された画像形成モードを変更するモード変更信号を出力するモード変更手段であるプリント設定変更ボタンであり、このプリント設定変更ボタン１００５を押下すると、プリント設定変更がオン状態となる。
【０１０９】
そして、このようにプリント設定変更をオン状態とした場合には、原稿読み取りの終了後、操作パネル３０９の表示は図１４の（ａ）に示すようなプリント設定の変更画面に切り換わる。
【０１１０】
ここで、図１４の（ａ）はプリント設定の変更画面の一例であり、図１４の（ａ）では、図１３の（ａ）に示した元のプリント設定に対して、ソートモードを、出力成果物を１部毎ステイプルするステイプルモードに変更し、また置数を５部に変更している。１１０１はステイタス表示部であり、現在、プリント設定の変更中であること、またスタートキー８０６を押下することによって新たなプリント設定で画像形成動作を再開できることをユーザに報せている。
【０１１１】
１１０２はサブステイタス表示部であり、メインのステイタス表示部１１０１に入りきらなかった情報をユーザに報せるために使用する。図１４の（ａ）においては、このままジョブを中止するためにはストップキー８０７を押下すればよいことを報せている。
【０１１２】
図１４の（ｂ）は変更後のプリント設定で画像形成動作を行っている状態の表示例である。読み込んだ原稿１００枚に対して１部目のプリントを行っている状態を示している。
【０１１３】
次に、このような構成に係る画像読取装置２００を備えたプリンタ４００(図３参照)における原稿複写動作の制御の一例を図１５に示すフローチャートを用いて説明する。
【０１１４】
まず、ＣＰＵ２５１，３０１は、操作部３０９のスタートキー８０６の押下により発行される原稿読み取りの開始要求の受信を待ち（Ｓ１３０１）、原稿読み取りの開始要求を受信すると（Ｓ１３０１のＹ）、原稿１枚の画像読み取りを行う（Ｓ１３０２）。なお、このステップＳ１３０２の処理の詳細は既述した図９及び図１０のフローチャートで説明したものである。
【０１１５】
ここで、このようなスタートキー８０６の押下操作の前に、操作部３０９の表示パネル８０８の操作により、画像形成部の画像形成モードを設定するモード設定信号が出力されている。
【０１１６】
次に、画像読み取り動作の間に、所定のタイミングでプリント設定変更ボタン１００５の押下操作により、モード変更信号であるプリント設定の変更要求があったかを確認する（Ｓ１３０３）。そして、プリント設定変更要求があった場合には（Ｓ１３０３のＹ）、プリント設定の変更フラグをオン（ＯＮ）にする（Ｓ１３０４）。
【０１１７】
また、この後、プリント設定の変更を行うことを記憶し、さらにストップキー８０７や表示パネル８０８上の中止ボタン１１０４によるジョブの中止要求があったかを確認する（Ｓ１３０５）。
【０１１８】
ここで、中止要求が有った場合には（Ｓ１３０５のＹ）、原稿複写動作を全て終了させ、画像コントローラ部３００の画像メモリ３０５に記憶された当ジョブに関する画像データを全て消去する。また、中止要求がない場合には（Ｓ１３０５のＮ）、未処理の原稿の有無を判断し（Ｓ１３０６）、未処理の原稿がまだある場合は（Ｓ１３０６のＹ）、ステップＳ１３０２に戻って以降全ての原稿を読み取るまで処理を繰り返す。
【０１１９】
次に、未処理の原稿がないと判断した場合は（Ｓ１３０６のＮ）、即ち全ての原稿画面の読み取りが終了した後、プリント設定の変更フラグの状態（ＯＮ）を確認する（Ｓ１３０７）。このときプリント設定変更フラグがＯＮでなかった場合には（Ｓ１３０７のＮ）、読み取った原稿画像に対するプリント動作を開始する（Ｓ１３１０）。
【０１２０】
一方、プリント設定の変更フラグがＯＮであった場合には（Ｓ１３０７のＹ）、プリント動作の開始は行わずに、表示パネル８０８の表示をプリント設定の変更画面に切り換え、ユーザがプリント設定を変更するのを待つ（Ｓ１３０８）。なお、この間に図１４の（ａ）で説明したようにストップキー８０７が押下された場合には、即ちジョブの中止要求が有った場合には（Ｓ１３０９のＹ）、原稿複写動作を全て終了させ、画像メモリ３０５内の当該ジョブの画像データを消去する。
【０１２１】
また、ジョブの中止要求がなければ（Ｓ１３０９のＮ）、プリント設定の変更終了を受けてプリント動作を開始し（Ｓ１３１０）、プリント終了で原稿複写動作は終了する。
【０１２２】
このように、ＣＰＵ２５１，３０１は、プリント設定変更ボタン１００５からモード変更信号が出力されると、まず画像読取装置２００による全ての原稿画像の読み取りを終了させる。次に、全ての原稿画像の読み取りが終了した後、ユーザがプリント設定を変更するまで、プリンタ４００による画像形成動作を一時停止させる。そして、このようにプリンタ４００による画像形成動作を一時停止した後、操作部３０９の表示パネル８０８の操作により、変更されたプリント設定に応じてプリント動作を行うようにしている。
【０１２３】
つまり、ジョブ開始後であっても、モード変更信号が出力された場合には、まず全ての原稿の画像を読み取るよう画像読取装置２００を制御し、この後、設定変更された画像形成モードにより画像形成動作を行うようプリンタ４００を制御している。これにより、ジョブのうち原稿読み取り動作は継続させて、プリント動作の開始前にプリントモードを変更することが可能となり、ユーザの操作性を向上させることができる。なお、表示パネル８０８の操作により処理モード変更信号が出力され、この処理モード変更信号による処理モードの設定変更要求があった場合も同様に、設定変更された処理モードによりシートの処理動作を行うよう処理部を制御することができる。
【０１２４】
ところで、これまでは、モード変更する場合、原稿画像の読み取りが終了した後、画像形成動作を一時停止させるようにしているが、原稿画像の読み取りを行っている間に、プリンタによる画像形成動作を一時停止させるようにしても良い。
【０１２５】
図１６は、このような原稿複写動作の他の制御の一例を示すフローチャートである。
【０１２６】
まずは、操作部３０９のスタートキー８０６の押下により発行される原稿読み取りの開始要求の受信を待ち（Ｓ１４０１）、原稿読み取りの開始要求を受信すると（Ｓ１４０１のＹ）、原稿１枚の画像読み取りを行う（Ｓ１４０２）。なお、このステップＳ１４０２の処理の詳細は既述した図９及び図１０のフローチャートで説明したものである。
【０１２７】
次に、画像読み取り動作の間にプリント設定の変更要求があったかを確認し（Ｓ１４０３）、変更要求があった場合には（Ｓ１４０３のＹ）、図１４の（ａ）で示したように表示パネル８０８の表示をプリント設定の変更画面に切り換える。そして、ユーザがプリント設定を変更すると、プリント設定の変更を開始する（Ｓ１４０４）。
【０１２８】
その一方で、画像読み取り動作は継続する。なお、ストップキー８０７や表示パネル８０８上の中止ボタン１１０４によるジョブの中止要求が有った場合には（Ｓ１４０５のＹ）、原稿複写動作を全て終了させる。さらに、画像コントローラ部３００の画像メモリ３０５に記憶された当ジョブに関する画像データを全て消去する。
【０１２９】
また、中止要求がない場合には（Ｓ１４０５のＮ）、未処理の原稿の有無を判断し（Ｓ１４０６）、未処理の原稿がまだある場合は（Ｓ１４０６のＹ）、ステップＳ１４０２に戻って以降全ての原稿を読み取るまで処理を繰り返す。
【０１３０】
次に、未処理の原稿がないと判断した場合は（Ｓ１４０６のＮ）、即ち全ての原稿画面の読取が終了した後、プリント設定が変更中かを確認する（Ｓ１４０７）。そして、プリント設定が変更中の場合は（Ｓ１４０７のＹ）、更新が終了するまで、即ち、図１４の（ａ）の画面でスタートキー８０６が押されるまではプリント動作を開始しない。
【０１３１】
また、プリント設定の更新が終了した場合は（Ｓ１４０７のＮ）、変更されたプリント設定を確定する（Ｓ１４０８）。そして、その間に図１４の（ａ）で説明したようにストップキー８０７が押下された場合には、原稿複写動作を全て終了させ、画像メモリ３０５内の当該ジョブの画像データを消去する。また、ジョブの中止要求がなければ（Ｓ１４０９のＮ）、プリント設定の変更終了を受けてプリント動作を開始し（Ｓ１４１０）、プリント終了で原稿複写動作は終了する。
【０１３２】
ここで、このような制御であれば、原稿読み取り動作と平行してのプリントモードの変更が可能となり、原稿読み取り動作を行っている間にプリント設定の変更が終了した場合には、原稿読み取り動作の終了後、直ちにプリント動作を開始することができる。
【０１３３】
なお、本実施の形態においては、原稿読み取りの終了後にプリント設定の変更ステップを設ける関係で、プリント動作の開始が原稿読み取りに終了後になっている。しかし、より効率的な画像形成を行うためには、全ての原稿読み取りの終了を待たずにプリント動作を開始するようにしても良い。
【０１３４】
この場合には、図１３の（ｂ）の原稿読み取り中の画面状態からプリント設定変更ボタン１００５が押された時点で、直ちに図１４の（ａ）のプリント設定変更画面に切り換えるように制御する。
【０１３５】
そして、原稿読み取り動作はそのまま継続し、もしプリント動作が既に開始されていた場合には、プリント動作はそこで停止させる。また、まだプリント動作を開始していなかった場合には、プリント設定の変更が確定されるまで、プリント動作の開始を待たせる。そして、プリント設定の変更が確定された時点から、変更されたモードでのプリント動作を開始するよう制御する。これにより、上記のいずれの実施の形態においても、プリント動作を変更する場合に原稿の読み取り動作を最初からやり直す必要がないので、ユーザの操作性が向上する。
【０１３６】
あるいは、プリント設定変更ボタン１００５が押された時点で、原稿読み取りを一時停止させてプリント設定の変更を受け、プリント設定の変更が確定された時点から原稿読み取りを再開すると共に、プリント動作を開始するよう制御してもよい。
【０１３７】
つまり、プリント設定変更ボタン１００５が押されても実行中の原稿読み取り動作を一旦停止させるだけで、読み取り動作を終了させることなく継続させる。この場合においても、プリント設定の変更前に読み取っていた原稿画像の情報に基づいて、変更されたモードで画像形成を行うことが可能である。したがって、プリント設定が変更された場合でも、原稿の読み取り動作を最初からやり直す必要がないので、ユーザの操作性が向上する。
【図面の簡単な説明】
【０１３８】
【図１】本発明の実施の形態に係る画像形成装置の概略図。
【図２】本発明の実施の形態に係る画像読取装置の構成を示す図。
【図３】上記画像読取装置及び画像形成部であるプリンタを備えた画像形成装置の制御ブロック図。
【図４】上記画像読取装置における両面同時読みモードが選択された際の動作について説明する第１の図。
【図５】上記画像読取装置における両面同時読みモードが選択された際の動作について説明する第２の図。
【図６】上記画像読取装置における両面同時読みモードが選択された際の動作について説明する第３の図。
【図７】上記画像読取装置における両面同時読みモードが選択された際の動作について説明する第４の図。
【図８】上記画像読取装置に設けられた画像処理部のブロック図。
【図９】上記画像読取装置における原稿画像読み取りの際の画像信号転送動作制御の一例を示すフローチャート。
【図１０】上記画像読取装置における原稿画像読み取りの際の画像信号転送動作制御の一例を示す他のフローチャート。
【図１１】上記画像読取装置に設けられた、（ａ）はＲＡＭ内の読取モードテーブル、（ｂ）はＲＡＭ内の画像処理パラメータテーブルの一例を示す図。
【図１２】上記画像読取装置の操作部の概観図。
【図１３】上記操作部の表示パネルにおける表示例を示す第１の図。
【図１４】上記操作部の表示パネルにおける表示例を示す第２の図。
【図１５】上記画像形成装置の画像形成動作の制御の一例を示すフローチャート。
【図１６】上記画像形成装置の画像形成動作の制御の一例を示す他のフローチャート。
【符号の説明】
【０１３９】
１００    ＡＤＦ
２００    画像読取装置
２５１    ＣＰＵ
３０１    ＣＰＵ
３０９    操作部
４００    プリンタ
８０６    スタートキー
８０７    ストップキー
８０８    表示パネル
１００４  中止ボタン
１００５  プリント設定変更ボタン
Ｓ        原稿
【図１】
0005252944.tif 000002
【図２】
0005252944.tif 000003
【図３】
0005252944.tif 000004
【図４】
0005252944.tif 000005
【図５】
0005252944.tif 000006
【図６】
0005252944.tif 000007
【図７】
0005252944.tif 000008
【図８】
0005252944.tif 000009
【図９】
0005252944.tif 000010
【図１０】
0005252944.tif 000011
【図１１】
0005252944.tif 000012
【図１２】
0005252944.tif 000013
【図１３】
0005252944.tif 000014
【図１４】
0005252944.tif 000015
【図１５】
0005252944.tif 000016
【図１６】
0005252944.tif 000017